(57)【特許請求の範囲】
【請求項１】
前面に遊技領域が形成された遊技盤と、
前記遊技盤を保持する前面枠本体と、
該前面枠本体の前面に回動可能に取り付けられ、前記遊技領域を前方から視認可能な状態で覆うクリア部材を備えるクリア部材保持枠と、
前記前面枠本体に対して、前記クリア部材保持枠が前記遊技領域を覆った状態で回動不能となるように施錠する枠施錠装置と、
を備え、
前記遊技領域に遊技球を発射して遊技を行う遊技機において、
前記遊技領域に、遊技球が入賞する入賞装置を備え、
前記入賞装置は、
遊技球が流入可能な入賞口と、
前記入賞口を開閉する扉部材と、
前記扉部材を駆動するための駆動源と、を備え、
前記駆動源が前記扉部材を駆動することにより、前記扉部材が前記入賞口を閉鎖して遊技球の流入を不能とする閉状態と、前記扉部材が前記入賞口を開放して遊技球の流入を可能とする開状態と、に変換されるようにし、
前記閉状態で前記扉部材を係止して前記開状態への変換を不能とするとともに、前記閉状態から前記駆動源を動作することにより前記扉部材の係止を解除して前記開状態への変換を可能とする係止手段と、該係止手段の係止の解除を行う鍵リンク機構を備えるとともに、
前記枠施錠装置は鍵穴に鍵を挿入して一方向へ回動すると、前記前面枠本体に対する前記クリア部材保持枠の施錠の解除動作と、前記鍵リンク機構による前記係止手段の係止の解除動作とが、ともに行われることを特徴とする遊技機。
【請求項２】
前記扉部材を前記遊技盤と平行かつ水平な第一回動軸を中心として回動するようにし、
前記入賞装置に、前記第一回動軸と平行な第二回動軸を中心として回動し、前記駆動源の駆動力を前記扉部材に伝達するリンク部材を備えるリンク機構を備え、
前記駆動源が前記リンク機構を介して前記扉部材を駆動することにより、前記扉部材が前記入賞口を閉鎖して遊技球の流入を不能とする閉状態と、前記扉部材が前記入賞口を開放して遊技球の流入を可能とする開状態と、に変換されるようにし、
前記係止手段を、前記リンク部材に形成した係止部と前記扉部材に形成した被係止部とから構成し、
該係止手段は、前記閉状態では前記係止部が前記被係止部を係止して前記開状態への変換を不能とし、前記閉状態から前記駆動源により前記リンク部材を動作することにより前記被係止部の係止を解除して前記開状態への変換を可能とするようにしたことを特徴とする請求項１に記載の遊技機。
【請求項３】
前記鍵リンク機構は、前記前面枠本体に配される前面枠本体配設部と、前記遊技盤に配される遊技盤配設部と、に分離可能であることを特徴とする請求項２に記載の遊技機。
【請求項４】
前記鍵リンク機構は、前記リンク部材を前記開状態への変換方向へ押圧することで前記係止手段による係止を解除することを特徴とする請求項３に記載の遊技機。
【請求項５】
前記鍵リンク機構は、前記枠施錠装置における前記前面枠本体に対する前記クリア部材保持枠の施錠の解除動作の進行に連動して、
前記リンク部材を前記係止手段による係止が解除される第一位置に移動させるとともに、前記第一位置から前記リンク部材を前記開状態における第二位置へ移動させて前記扉部材を開放させることを特徴とする請求項４に記載の遊技機。
【発明の詳細な説明】
【技術分野】
【０００１】
本発明は、遊技領域が形成された遊技盤を保持する前面枠本体と、前面枠本体の前面に回動可能に取り付けられたクリア部材を備えるクリア部材保持枠と、前面枠本体に対して、クリア部材保持枠を施錠する枠施錠装置と、を備え、遊技領域に遊技球を発射して遊技を行う遊技機に関する。
【背景技術】
【０００２】
遊技機の入賞装置（アタッカ）において、平らなセルロイドを遊技機の隙間に挿入し、入賞装置の扉を不正に開かせ、出玉を獲得するいわゆるセルゴトと呼ばれる不正行為が発生していた。このため入賞装置のソレノイドをカバーにより覆うことにより不正行為を防止する遊技機が提案されている（例えば、特許文献１参照）。
【特許文献１】特開平１１−３１９２２８号公報
【発明の開示】
【発明が解決しようとする課題】
【０００３】
しかしながら上記特許文献１の発明の場合、遊技盤の裏面からの不正には効果があるが、前面から行われる不正においては効果がなかった。また、前面からの不正に対して入賞装置の扉を不正に開かせなくする機構を設けた場合、扉を開かなければいけない事態が発生したときに当該機構のロックを解除する手段を設ける必要があるが、このロックを解除する操作を行った者が遊技店の店員であるかは判別不能であった。
【０００４】
本発明の目的は、遊技領域が形成された遊技盤を保持する前面枠本体と、前面枠本体の前面に回動可能に取り付けられたクリア部材を備えるクリア部材保持枠と、前面枠本体に対して、クリア部材保持枠を施錠する枠施錠装置と、を備え、遊技領域に遊技球を発射して遊技を行う遊技機において、不正に入賞装置の扉を開く行為を防止するとともに、正当な権限を有する者のみが扉を開放できるようにすることである。
【課題を解決するための手段】
【０００５】
以上の課題を解決するため、請求項１に記載の発明は、前面に遊技領域が形成された遊技盤と、
前記遊技盤を保持する前面枠本体と、
該前面枠本体の前面に回動可能に取り付けられ、前記遊技領域を前方から視認可能な状態で覆うクリア部材を備えるクリア部材保持枠と、
前記前面枠本体に対して、前記クリア部材保持枠が前記遊技領域を覆った状態で回動不能となるように施錠する枠施錠装置と、を備え、
前記遊技領域に遊技球を発射して遊技を行う遊技機において、
前記遊技領域に、遊技球が入賞する入賞装置を備え、
前記入賞装置は、
遊技球が流入可能な入賞口と、
前記入賞口を開閉する扉部材と、
前記扉部材を駆動するための駆動源と、を備え、
前記駆動源が前記扉部材を駆動することにより、前記扉部材が前記入賞口を閉鎖して遊技球の流入を不能とする閉状態と、前記扉部材が前記入賞口を開放して遊技球の流入を可能とする開状態と、に変換されるようにし、
前記閉状態で前記扉部材を係止して前記開状態への変換を不能とするとともに、前記閉状態から前記駆動源を動作することにより前記扉部材の係止を解除して前記開状態への変換を可能とする係止手段と、該係止手段の係止の解除を行う鍵リンク機構を備えるとともに、
前記枠施錠装置は鍵穴に鍵を挿入して一方向へ回動すると、前記前面枠本体に対する前記クリア部材保持枠の施錠の解除動作と、前記鍵リンク機構による前記係止手段の係止の解除動作とが、ともに行われることを特徴とする。
【０００６】
請求項１に記載の発明によれば、係止手段は閉状態では扉部材を係止して開状態への変換を不能とするので、扉部材に対して、外部から扉部材を不正に開く方向へ力が加えられても扉部材が開くことがなく、不正行為を防止できる。また、係止手段による係止を解除する鍵リンク機構を備えるとともに、枠施錠装置は鍵穴に鍵を挿入して一方向へ回動すると、前面枠本体に対するクリア部材保持枠の施錠の解除動作と、鍵リンク機構による係止手段の係止の解除動作とが、ともに行われるので、不正に扉部材を開放する行為を防止した上でメンテナンスを容易にすることができる。例えば、入賞装置内で球詰まり等が発生し、扉部材を開かなければいけない事態が発生した場合に、遊技領域の前面を覆うクリア部材保持枠を正当な手段で開けたときに係止が解除されるので、クリア部材保持枠を開放できる鍵を持つ者（店員）のみが扉部材を開放できることとなり、確実に扉部材を不正に開放する行為を防止した上でメンテナンスを容易にすることができる。
【０００７】
請求項２に記載の発明は、請求項１に記載の遊技機であって、前記扉部材を前記遊技盤と平行かつ水平な第一回動軸を中心として回動するようにし、
前記入賞装置に、前記第一回動軸と平行な第二回動軸を中心として回動し、前記駆動源の駆動力を前記扉部材に伝達するリンク部材を備えるリンク機構を備え、
前記駆動源が前記リンク機構を介して前記扉部材を駆動することにより、前記扉部材が前記入賞口を閉鎖して遊技球の流入を不能とする閉状態と、前記扉部材が前記入賞口を開放して遊技球の流入を可能とする開状態と、に変換されるようにし、
前記係止手段を、前記リンク部材に形成した係止部と前記扉部材に形成した被係止部とから構成し、
該係止手段は、前記閉状態では前記係止部が前記被係止部を係止して前記開状態への変換を不能とし、前記閉状態から前記駆動源により前記リンク部材を動作することにより前記被係止部の係止を解除して前記開状態への変換を可能とするようにしたことを特徴とする。
【０００８】
請求項２に記載の発明によれば、係止手段をリンク部材に形成した係止部と扉部材に形成した被係止部とからなる係止手段を備えるので、扉部材に対して、外部から扉部材を不正に開く方向へ力が加えられても扉部材が開くことがなく、不正行為を防止できる。また、係止手段をリンク部材に形成した係止部と扉部材に形成した被係止部とから構成したので、係止手段を構成するために従来の機構から部品点数を増加させる必要がないので、安価に実現可能である。
【０００９】
請求項３に記載の発明は、請求項２に記載の遊技機であって、前記鍵リンク機構は、前記前面枠本体に配される前面枠本体配設部と、前記遊技盤に配される遊技盤配設部と、に分離可能であることを特徴とする。
【００１０】
請求項３に記載の発明によれば、鍵リンク機構は、前面枠本体に配される前面枠本体配設部と、遊技盤に配される遊技盤配設部と、に分離可能であるので、遊技盤を交換する場合に、鍵リンク機構の一部を枠側に残すことが可能となり、鍵リンク機構の一部を再利用可能となる。
【００１１】
請求項４に記載の発明は、請求項３に記載の遊技機であって、前記鍵リンク機構は、前記リンク部材を前記開状態への変換方向へ押圧することで前記係止手段による係止を解除することを特徴とする。
【００１２】
請求項４に記載の発明によれば、鍵リンク機構は、リンク部材を開状態への変換方向へ押圧することで係止手段による係止を解除するので、部品のガタを受けにくく確実に動作させることが可能である。
【００１３】
請求項５に記載の発明は、請求項４に記載の遊技機であって、前記鍵リンク機構は、前記枠施錠装置における前記前面枠本体に対する前記クリア部材保持枠の施錠の解除動作の進行に連動して、
前記リンク部材を前記係止手段による係止が解除される第一位置に移動させるとともに、前記第一位置から前記リンク部材を前記開状態における第二位置へ移動させて前記扉部材を開放させることを特徴とする。
【００１４】
請求項５に記載の発明によれば、鍵リンク機構は、枠施錠装置における前面枠本体に対するクリア部材保持枠の施錠の解除動作の進行に連動して、リンク部材を係止手段による係止が解除される第一位置に移動させるとともに、第一位置からリンク部材を開状態における第二位置へ移動させて扉部材を開放させるので、鍵の操作だけで入賞装置を開くことが可能となり、利便性が向上する。
【発明の効果】
【００１５】
本発明によれば、係止手段は閉状態では扉部材を係止して開状態への変換を不能とするので、扉部材に対して、外部から扉部材を不正に開く方向へ力が加えられても扉部材が開くことがなく、不正行為を防止できる。また、係止手段による係止を解除する鍵リンク機構を備えるとともに、枠施錠装置は鍵穴に鍵を挿入して一方向へ回動すると、前面枠本体に対するクリア部材保持枠の施錠の解除動作と、鍵リンク機構による係止手段の係止の解除動作とが、ともに行われるので、不正に扉部材を開放する行為を防止した上でメンテナンスを容易にすることができる。例えば、入賞装置内で球詰まり等が発生し、扉部材を開かなければいけない事態が発生した場合に、遊技領域の前面を覆うクリア部材保持枠を正当な手段で開けたときに係止が解除されるので、クリア部材保持枠を開放できる鍵を持つ者（店員）のみが扉部材を開放できることとなり、確実に扉部材を不正に開放する行為を防止した上でメンテナンスを容易にすることができる。
【発明を実施するための最良の形態】
【００１６】
以下、この発明の実施形態について図面を参照して説明する。
ここでは、本発明にかかる遊技機の適例としてのパチンコ遊技機について説明を行う。
【００１７】
図１に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００１８】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００１９】
前面枠本体１３０は、矩形枠状の機枠１１０の前面側をちょうど覆うような概略矩形板状に構成されるとともに、その中央から上端部にわたる部分に、遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は前面枠本体１３０に嵌め込まれることで前面枠１２０に取り付けられている。
【００２０】
また、前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板との間で、遊技盤１の前面に設けられたガイドレール２に囲まれた部分が、遊技球が発射されて流下する遊技領域１ａとされている。
【００２１】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板が固定されている。そして、クリア部材保持枠１４０において、遊技機１００の前側からガラス板を介して遊技盤１の前面側の少なくとも遊技領域１ａの部分が視認可能となっている。また、クリア部材保持枠１４０の前面であって、ガラス板が固定されて遊技領域１ａを視認可能とする部分の周囲には、内部にＬＥＤを備える枠装飾装置１４１、音声を出力するスピーカ１４５，１４５などが設けられている。
【００２２】
また、前面枠本体１３０に軸着されたクリア部材保持枠１４０の開放端側となる前面側から見て右側の端部の前面には、枠施錠装置１３１が設けられている。この枠施錠装置１３１は、前面枠本体１３０を機枠１１０に対して施錠するとともに、クリア部材保持枠１４０を前面枠本体１３０に対して施錠するものであって、錠１３２の鍵穴１３３に鍵１３５を入れて一方（例えば時計回り方向）に回すと前面枠本体１３０の施錠が解除され、他方（例えば反時計回り方向）に回すとクリア部材保持枠１４０の施錠が解除されるようになっている。
【００２３】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに該遊技領域１ａに遊技球を発射する際の発射勢を調節するための操作ハンドル１５６、音声を出力するスピーカ１５７などが設けられている。
【００２４】
遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そしてこのガイドレール２で囲まれた遊技領域１ａ内に発射装置から遊技球（打球；遊技媒体）を発射して遊技を行うようになっている。
【００２５】
遊技領域１ａ内には、普図始動ゲート４と、普図変動表示ゲームの未処理回数を表示する普図記憶表示器、普図変動表示ゲームを表示する普図表示器が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器、特図変動表示ゲームを表示する特図表示器９が設けられている。なお、普図記憶表示器、普図表示器、特図記憶表示器、特図表示器は、遊技状態を表す遊技状態表示ＬＥＤと併せて、セグメントＬＥＤとして一体に設けられており、このセグメントＬＥＤが遊技機１００の状態を表示する状態表示器８をなす。
【００２６】
さらに遊技領域１ａには、上端側が手前側に倒れる方向に回動して開放可能になっているアタッカ形式の扉部材８０を有し、補助遊技としての特図変動表示ゲームの結果如何によって大入賞口６１を閉じた状態（遊技者にとって不利な状態）から開放状態（遊技者にとって有利な状態）に変換する特別変動入賞装置５０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００２７】
普図始動ゲート４内には、該普図始動ゲート４を通過した遊技球を検出するための普図始動センサが設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、普図記憶表示器（状態表示器８）にて表示されるようになっている。
【００２８】
普図（普通図柄）変動表示ゲームは、遊技領域１ａ内に設けられた普図表示器（状態表示器８）で実行されるようになっている。なお、画像表示装置４１の表示部４２の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図変動表示ゲームの始動が容易となる。
【００２９】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイド（普電ＳＯＬ）によって、逆「ハ」の字状に開いて普通変動入賞装置７に遊技球が流入し易い状態（遊技者にとって有利な状態）に変化させられるようになっている。
【００３０】
また、本実施形態の遊技機１００は、特図変動表示ゲームの結果態様に基づき、遊技状態として時短状態を発生可能となっている。この時短状態においては、上述の普図変動表示ゲームの実行時間が上述の長い実行時間よりも短くなるように制御され（例えば、１０秒が１秒）、これにより、単位時間当りの普通変動入賞装置７の開放回数が実質的に多くなるように制御される。また、時短状態においては、普図変動表示ゲームが当り結果となって普通変動入賞装置７が開放される場合に、開放時間が通常状態の短い開放時間より長くされるように制御される（例えば、０．３秒が１．８秒）。また、時短状態においては、普図変動表示ゲームの１回の当り結果に対して、普通変動入賞装置７が１回ではなく、２回以上の複数回（例えば、２回）開放される。さらに、時短状態においては普図変動表示ゲームの当り結果となる確率が通常状態より高くなるように制御される。すなわち、通常状態よりも普通変動入賞装置７の開放回数が増加される。
【００３１】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた特図始動センサによって遊技球を検出することに基づき、補助遊技としての特図変動表示ゲームを開始する始動権利が発生するようになっている。
【００３２】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００３３】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、特図記憶表示器（状態表示器８）にて表示されるようになっている。
【００３４】
補助遊技としての特図（特別図柄、識別情報）変動表示ゲームは、遊技領域１ａ内に設けられた特図表示器９で実行されるようになっており、複数の識別情報を変動表示したのち、所定の結果態様を停止表示することで行われる。また、画像表示装置４１にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示装置４１の表示態様も特別結果態様（例えば、「７，７，７」等のゾロ目数字の何れか）となる。なお、遊技機１００に特図表示器９を備えずに、画像表示装置４１のみで特図変動表示ゲームを実行するようにしても良い。また、本実施形態の遊技機１００は、特図変動表示ゲームの結果態様に基づき、遊技状態として確変状態を発生可能となっている。この確変状態においては、上述の時短状態に加え、特図変動表示ゲームの当り結果となる確率が通常状態より高くなるように制御される。
【００３５】
また、遊技領域１ａの略中央には、特図変動表示ゲームの表示領域となる窓部２２を形成するセンターケース２０が取り付けられている。このセンターケース２０に形成された窓部２２の後方には、画像表示装置４１が配されるようになっている。この画像表示装置４１は、例えば、液晶ディスプレイを備え、表示内容が変化可能な表示部４２がセンターケース２０の窓部２２を介して遊技盤１の前面側から視認可能となるように配されている。なお、画像表示装置４１は、液晶ディスプレイを備えるものに限らず、ＥＬ、ＣＲＴ等のディスプレイを備えるものであっても良い。
【００３６】
入賞装置としての特別変動入賞装置５０は、上端側が手前側に倒れる方向に回動して開放可能になっているアタッカ形式の扉部材８０によって開閉される大入賞口６１を備えていて、特別遊技状態中は、大入賞口６１を閉じた状態から開いた状態に変換することにより大入賞口６１内への遊技球の流入を容易にさせる。なお、扉部材８０は、例えば、駆動装置としてのソレノイド（大入賞口開閉ＳＯＬ５１）により駆動される。また、大入賞口６１の内部（入賞領域）には、該大入賞口６１に入った遊技球を検出する検出手段としてのカウントセンサ６２が配設されている。
【００３７】
また、遊技領域１ａに設けられた各一般入賞口１２には、一般入賞口１２に入った遊技球を検出するための入賞口センサが配設されている。そして、遊技を開始することにより遊技領域１ａ内に打ち込まれた遊技球が、一般入賞口１２，１２，…、普通変動入賞装置７、第１始動入賞口１３、特別変動入賞装置５０等の入賞口の何れかに入賞すると、それぞれの入賞口に対応した所定数の賞球が排出装置によって排出される（払い出される）ようになっている。
【００３８】
また、遊技機１００は、その制御系として遊技の進行を制御する遊技制御装置、この遊技制御装置の制御下で各種の演出に関する制御を行うサブ制御装置としての演出制御装置を備え、これらの制御装置によって、例えば以下のような制御を行う。
【００３９】
遊技制御装置では、普図始動ゲート４に備えられた普図始動センサからの遊技球の検出信号の入力に基づき、普図の当たり判定用乱数値を抽出して判定値と比較し、普図変動表示ゲームの当たり外れを判定する処理を行う。そして、普図表示器に、識別図柄を所定時間変動表示した後、停止表示する普図変動表示ゲームを表示する処理を行う。この普図変動表示ゲームの結果が当たりの場合は、普図表示器に特別の結果態様を表示するとともに、普電ＳＯＬを動作させ、普通変動入賞装置７の開閉部材７ａ，７ａを所定時間（例えば、０.５秒間）上述のように開放する制御を行う。なお、普図変動表示ゲームの結果がはずれの場合は、普図表示器にはずれの結果態様を表示する制御を行う。
【００４０】
また、普通変動入賞装置７、第１始動入賞口１３に備えられた特図始動センサからの遊技球の検出信号の入力に基づき、特図の大当たり判定用乱数値を抽出して判定値と比較し、特図変動表示ゲームの当たり外れを判定する処理を行う。また、この他に変動パターンの判定を行う処理などを行い、これらの結果を含む制御信号（演出コマンド）を、演出制御装置に出力する。そして、特図表示器９に、識別図柄を所定時間変動表示した後、停止表示する特図変動表示ゲームを表示する処理を行う。また、演出制御装置では、遊技制御装置からの制御信号に基づき、画像表示装置４１で特図変動表示ゲームに対応した飾り特図変動表示ゲームを表示する処理や、スピーカ１４５，１５７からの音の出力、枠装飾装置１４１としての装飾ランプＬＥＤを制御する処理を行う。
【００４１】
そして、遊技制御装置は、特図変動表示ゲームの結果が当たりの場合は、特図表示器９に特別の結果態様を表示するとともに、特別遊技状態を発生させる処理を行う。この特別遊技状態を発生させる処理においては、例えば、大入賞口開閉ＳＯＬ５１により特別変動入賞装置５０の扉部材８０を開放し、大入賞口６１内への遊技球の流入を可能とする制御を行う。そして、大入賞口６１に所定個数（例えば１０個）の遊技球が入賞するか、大入賞口６１の開放から所定時間（例えば２５秒または１秒）が経過するかの何れかの条件が達成されるまで大入賞口６１を開放することを１ラウンドとし、これを所定ラウンド回数（例えば１５回または２回）継続する（繰り返す）制御（サイクル遊技）を行う。なお、特図変動表示ゲームの結果がはずれの場合は、特図表示器９にはずれの結果態様を表示する制御を行う。
【００４２】
また、遊技制御装置は、各種入賞口に設けられたセンサ（特図始動センサ、カウントセンサ６２、入賞口センサ）から入力される遊技球の検出信号に基づき、排出発射制御装置に制御信号を出力し、排出装置を制御して所定数の遊技球が払い出されるようにする。
【００４３】
次に、特別変動入賞装置５０の構成について説明する。上述したように、特別変動入賞装置５０は、通常は大入賞口６１を閉鎖して遊技球が流入できない閉状態とされ、特別遊技状態で大入賞口６１を開放して遊技球が流入可能な開状態に変換されて、遊技者に所定の遊技価値（多量の賞球としての遊技球）の付与を可能とするものである。図２，３に示すように、この特別変動入賞装置５０は、各種部材が取り付けられる本体部６０と、該本体部６０の前面に取り付けられ、特別変動入賞装置５０を遊技盤本体１ｂに取り付けるためのベース部材７０と、大入賞口６１を開閉するための扉部材８０と、該扉部材８０を動作するための大入賞口開閉ＳＯＬ５１、リンク機構９０を備える。
【００４４】
本体部６０の前部には、所定の奥行きを有し、前方に開口する空間が形成されており、この空間が、遊技球が流入する大入賞口６１となる。この大入賞口６１の底面は、後方（奥側）へ向かって下るように傾斜するとともに、前面側から見て左側へ下るように傾斜しており、入賞した遊技球は左後部へ流下誘導されるようになっている。そして、傾斜下流側となる大入賞口６１の底面における左後部には、大入賞口６１に入賞した遊技球を外部へ排出する排出流路が形成され、この排出流路に通過する遊技球を検出するカウントセンサ６２が設けられている。すなわち、カウントセンサ６２により大入賞口６１に入賞した遊技球のすべてが検出されるようになっている。カウントセンサ６２は遊技球を検出することに基づき、遊技制御装置に検出信号を出力するようになっており、遊技制御装置ではこの検出信号に基づき、大入賞口６１に入賞した遊技球を計数するとともに所定数の賞球を排出させる処理を行う。
【００４５】
また、本体部６０における大入賞口６１の後方にはＬＥＤやレンズ部材が配されており、大入賞口６１の内部を照らすことで光による装飾を行うようになっている。また本体部６０の後部には、本体部６０に設けられるカウントセンサ６２、ＬＥＤ、大入賞口開閉ＳＯＬ５１と、各種制御装置との接続を中継する中継基板が備えられている。
【００４６】
本体部６０の前面には、板状のベース部材７０が取り付けられている。このベース部材７０は正面から見て本体部６０の前面よりも大きい面積を有しており、本体部６０の前面を覆うように取り付けることで、ベース部材７０の周縁が本体部６０の周縁よりも外側へ延出した状態となる。特別変動入賞装置５０は、遊技盤本体１ｂに形成された前後に貫通する取付孔に、遊技盤本体１ｂの前面側から挿入するように取り付けられるが、取付孔は本体部６０が通過できる大きさであるとともに、ベース部材７０が通過できない大きさに形成されている。よって、取付孔に遊技盤本体１ｂの前面側から挿入することでベース部材７０の裏面が遊技盤本体１ｂの前面に当接し、遊技盤本体１ｂに対する特別変動入賞装置５０の前後位置が決定される。さらに、ベース部材７０にはねじ孔７０ａが形成されており、ねじにより特別変動入賞装置５０を遊技盤本体１ｂに固定できるようになっている。また、ベース部材７０の前面は遊技領域１ａに露出して、遊技者から視認可能となる部分であり、この前面には装飾が施されているとともに、装飾部材７１が取り付けられている。
【００４７】
ベース部材７０の中央部には、大入賞口６１が形成された位置に対応して矩形状の貫通孔７２が形成されており、遊技領域１ａに大入賞口６１が開口するようになっている。また、このベース部材７０の裏面側であって貫通孔７２の左右における下部には、扉部材８０の第一回動軸８２を回動可能に軸支する扉部材支持部７３が形成され、この扉部材支持部７３により扉部材８０が貫通孔７２（大入賞口６１）を開閉できるように取り付けられる。
【００４８】
ベース部材７０に支持される扉部材８０は、ベース部材７０の貫通孔７２と略同じ大きさを有する矩形板状の扉部８１と、該扉部８１の両側端に設けられた第一回動軸８２と、扉部８１の前面側から見た右端部に形成されたリンク部８３とを備える。第一回動軸８２は、扉部８１の前面を垂直にした状態での両側端における下端をなす部分に、扉部８１の左右方向に沿って外側へ延出するように設けられている。そして、扉部材８０は、ベース部材７０の裏面側であって貫通孔７２の左右における下部に形成された扉部材支持部７３により、第一回動軸８２が遊技盤本体１ｂと平行かつ水平な状態で回動可能に支持されるようになっている。このように軸支された扉部材８０の回動範囲は、扉部８１の前面が略垂直となってベース部材７０と略平行となり貫通孔７２を閉鎖する位置と、この状態から上端が前方に傾倒して扉部８１の前面が略水平となり貫通孔７２を開放する位置との間とされている。これにより、特別変動入賞装置５０は、大入賞口６１を閉鎖して遊技球の流入を不能とする閉状態と、大入賞口６１を開放して遊技球の流入を可能とする開状態とに変換可能となる。
【００４９】
また、図５に示すように、扉部８１の前面側から見た右端部に形成されたリンク部８３は、駆動源をなす大入賞口開閉ＳＯＬ５１からリンク機構９０を介して伝達される駆動力を受ける受動部（第一受動面８４ａ、第二受動面８５ａ、第三受動面８５ｂ）と、リンク機構９０の第二リンク部材９２に形成された係止部９９により係止される係止手段５３の一部をなす被係止部８７とを備える。このリンク部８３は、扉部８１の側端から裏面側へ延出する板状の側壁部８４と、扉部８１の側端から裏面側へ延出するリブ状の後方延出部８５と、該後方延出部８５の側方へ突出する側方突出部８６とを備える。
【００５０】
側壁部８４は所定の厚みを有し、扉部８１の前面を垂直にした状態での後端面の下半部が後方に向かって上るように傾斜している。この後端面の下半部が第一受動面８４ａとして受動部の一部をなす。後方延出部８５は、扉部８１の前面を垂直にした状態で、側壁部８４の下方の位置から後方へ向かって下るように形成されたリブ状の部分である。この後方延出部８５における上側の面は第二受動面８５ａとして受動部の一部をなし、下側の面は第三受動面８５ｂとして受動部の一部をなす。後方延出部８５の側方へ突出する側方突出部８６は、扉部８１の前面を垂直にした状態で、後方延出部８５の下方に延出している。また、後方延出部８５の下端部には、後方延出部８５の下側の面である第三受動面８５ｂと所定の距離をおいて上下に重なるように被係止部８７が突設されている。第三受動面８５ｂと被係止部８７との間の距離は、扉動作部９５の第二延出部９７に形成された係止部９９が第三受動面８５ｂと被係止部８７との間を通過可能な距離であって、後述するようにこの第三受動面８５ｂと被係止部８７との間が間隙部８８をなす。
【００５１】
リンク機構９０は、駆動源をなす大入賞口開閉ＳＯＬ５１のプランジャ５１ａに取り付けられた第一リンク部材９１と、該第一リンク部材９１と接続するとともに扉部材８０の受動部に当接する第二リンク部材９２とを備える。駆動源をなす大入賞口開閉ＳＯＬ５１は、プランジャ５１ａが前方に延出し、前後方向に沿って動作するような向きで本体部６０における前面側から見た右後部に取り付けられている。この大入賞口開閉ＳＯＬ５１のプランジャ５１ａの先端（前端）に、第一リンク部材９１が取り付けられている。
【００５２】
第一リンク部材９１は、図３に示すように、プランジャ５１ａとの接続部と対向する端部に、プランジャ５１ａの延在方向と直交する方向に貫通する連結孔９１ｂを備える連結部９１ａが形成されている。この第一リンク部材９１は、連結部９１ａが前側に位置するとともに、連結孔９１ｂが左右方向に沿って貫通するような向きでプランジャ５１ａに取り付けられる。そして、本体部６０によって案内されて、プランジャ５１ａの前後移動に伴って前後にスライド移動するようになっている。このように本体部６０に配された第一リンク部材９１の前方には、第二リンク部材９２が配されている。
【００５３】
第二リンク部材９２は、本体部６０に軸支される第二回動軸９３と、第一リンク部材９１と連結するための連結軸９４と、扉部材８０を動作させるための扉動作部９５とを備える。この第二リンク部材９２は、第二回動軸９３が左右方向に沿うように、本体部６０に形成された軸受部によって回動可能に支持されている。
【００５４】
連結軸９４は、第二回動軸９３と延在方向が平行となるように形成された円柱状の軸部であり、第二回動軸９３が本体部６０により軸支された状態では、第二回動軸９３の上方に位置するようになっている。この連結軸９４は、第一リンク部材９１の連結孔９１ｂに挿入されるようになっており、これにより第一リンク部材９１と第二リンク部材９２が接続するようになっている。そして、大入賞口開閉ＳＯＬ５１のプランジャ５１ａを前後に動作することで、第一リンク部材９１を介して連結軸９４が前後に動作され、第二リンク部材９２が第二回動軸９３を中心に回動するようになっている。なお、連結孔９１ｂは上下に長い長孔とされ、前後方向に動作する第一リンク部材９１の連結孔９１ｂ内で、第二回動軸９３を中心に回動する第二リンク部材９２の連結軸９４が上下に移動できるようにされている。
【００５５】
扉動作部９５は、第一延出部９６と第二延出部９７とが空間部９８を挟んで対向するように形成された略Ｃ字型をしており、第二回動軸９３が本体部６０に軸支された状態では、上から、第一延出部９６、空間部９８、第二延出部９７の順に並んで、第二回動軸９３の前方に位置するようになっている。そして、大入賞口開閉ＳＯＬ５１により、第二リンク部材９２が第二回動軸９３を中心に回動するように駆動されることで、第二回動軸９３の前方に位置する扉動作部９５が上下に動作するようになっている。また、第一延出部９６の先端は、扉部材８０の受動部（第一受動面８４ａ、第二受動面８５ａ、第三受動面８５ｂ）に当接して扉部材８０を動作させる第一当接部９６ａをなし、第二延出部９７の先端は、扉部材８０の受動部に当接して扉部材８０を動作させる第二当接部９７ａをなす。これらの第一当接部９６ａ、第二当接部９７ａは、受動部と滑らかに接することができるように周面が曲面とされている。さらに、第二延出部９７の側方には、扉部材８０に形成された被係止部８７を係止する係止手段５３の一部をなす係止部９９が突設されている。このように、係止手段５３を第二リンク部材９２に形成した係止部９９と、扉部材８０に形成した被係止部８７とから構成することで、係止手段５３を構成するために従来の機構から部品点数を増加させる必要がないので安価に実現可能となる。
【００５６】
以上のような構成を有する特別変動入賞装置５０は、図５に示すように、扉部材８０が大入賞口６１を閉鎖した閉状態では、大入賞口開閉ＳＯＬ５１のプランジャ５１ａが最も前方に伸張した状態となっていて、第一リンク部材９１が前後の移動範囲における前端に位置している。そして、第一リンク部材９１に連結した第二リンク部材９２は、右側の側面から見て、所定の回動範囲において最も反時計回り方向に回動した状態となり、扉動作部９５が移動範囲における最も下側の位置にある状態となる。この状態では、扉動作部９５の第一延出部９６は、扉部材８０のリンク部８３に形成された第一受動面８４ａと第二受動面８５ａの間に位置している。また、扉動作部９５の第二延出部９７に形成された係止部９９は、前側の面が扉部材８０のリンク部８３をなす側方突出部８６に形成された被係止部８７の後側の面に当接して係止し、被係止部８７の後方への移動を規制するようになっている。これにより、扉部材８０が、右側の側面から見て反時計回り方向へ回動すること、すなわち、特別変動入賞装置５０が開状態となる方向へ回動することを規制するようになっている。よって、例えば、外部から扉部材８０に対して、開状態へ変換する方向に力が加えられても扉部材８０が開くことがなく、不正行為を防止できるようになっている。
【００５７】
図５に示す状態から、駆動源をなす大入賞口開閉ＳＯＬ５１を動作してプランジャ５１ａを退縮させることで、特別変動入賞装置５０を開状態に変換できるようになっている。図５に示す状態から大入賞口開閉ＳＯＬ５１を動作してプランジャ５１ａを退縮させると、図６に示すように、第一リンク部材９１が後方へ移動し、第一リンク部材９１に連結した第二リンク部材９２は、右側の側面から見て、時計回り方向に回動して扉動作部９５が上方へ回動する。そして、扉動作部９５の第一延出部９６の第一当接部９６ａが、扉部材８０のリンク部８３に形成された第一受動面８４ａに当接する。また、扉動作部９５の第二延出部９７に形成された係止部９９は、扉部材８０のリンク部８３をなす側方突出部８６に形成された被係止部８７と前後に重ならない位置に移動し、被係止部８７の後方への移動の規制が解除される。また、第二延出部９７の第二当接部９７ａが第三受動面８５ｂに当接する。
【００５８】
図６に示す状態から、さらに大入賞口開閉ＳＯＬ５１を動作してプランジャ５１ａを退縮させると、図７に示すように、扉動作部９５の第一延出部９６の第一当接部９６ａ、第二延出部９７の第二当接部９７ａが、扉部材８０のリンク部８３に形成された第一受動面８４ａ、第三受動面８５ｂを上方へ押し上げる。これに伴い、扉部材８０は右側の側面から見て反時計回り方向へ回動する。また、扉動作部９５の第二延出部９７に形成された係止部９９は、被係止部８７と第三受動面８５ｂとの間の間隙部８８に入るようになる。
【００５９】
図７に示す状態から、さらに大入賞口開閉ＳＯＬ５１を動作してプランジャ５１ａを退縮させると、図８に示すように、扉動作部９５の第一延出部９６の第一当接部９６ａが扉部材８０のリンク部８３に形成された第一受動面８４ａから離れる。そして、扉動作部９５の第二延出部９７の第二当接部９７ａのみが扉部材８０のリンク部８３に形成された第三受動面８５ｂを上方へ押し上げるようになる。これに伴い、扉部材８０は右側の側面から見てさらに反時計回り方向へ回動する。このとき、扉部材８０の大部分の重量を占める扉部８１が、第一回動軸８２よりも前方に位置する状態となっており、これ以降、扉部材８０は自重により上端が前方へ倒れるように回動するようになる。
【００６０】
図８に示す状態から、さらに大入賞口開閉ＳＯＬ５１を動作してプランジャ５１ａを退縮させると、図９に示すように、扉部材８０が前方へ倒れて大入賞口６１が開放された開状態となる。この状態では、大入賞口開閉ＳＯＬ５１のプランジャ５１ａが最も後方に退縮した状態となっていて、第一リンク部材９１が前後の移動範囲における後端に位置している。そして、第一リンク部材９１に連結した第二リンク部材９２は、右側の側面から見て、所定の回動範囲において最も時計回り方向に回動した状態となり、扉動作部９５が移動範囲における最も上側の位置にある状態となる。
【００６１】
また、大入賞口６１を閉鎖する場合には、図９に示す状態から大入賞口開閉ＳＯＬ５１を動作してプランジャ５１ａを伸張させるようにする。これにより、第一リンク部材９１が前方へ移動し、第一リンク部材９１に連結した第二リンク部材９２は、右側の側面から見て反時計回り方向に回動する。このとき、まず扉動作部９５の第一延出部９６の第一当接部９６ａが扉部材８０のリンク部８３に形成された第二受動面８５ａに当接し、下方へ押し下げるようになり、これに伴い扉部材８０は、右側の側面から見て時計回り方向に回動する。さらに、プランジャ５１ａを退縮させると係止部９９の後端と被係止部８７の前端が接触する。係止部９９の後端および被係止部８７の前端は曲面とされ、係止部９９を間隙部８８へ誘導するようになっており、これによりさらに扉部材８０は右側の側面から見て時計回り方向に回動する。その後、プランジャ５１ａが最も前方に伸張した状態となると、図５に示すように、扉部材８０が大入賞口６１を閉鎖した閉状態となる。また、扉動作部９５の第二延出部９７に形成された係止部９９が、扉部材８０のリンク部８３をなす側方突出部８６に形成された被係止部８７を係止し、被係止部８７の後方への移動を規制する状態となる。
【００６２】
次に鍵リンク機構１６０について説明する。上述したように、扉部材８０は係止手段５３により係止されて閉状態を維持するようになっているが、例えば、特別変動入賞装置５０内で球詰まり等の不具合が発生し、扉部材８０を開かなければいけない事態が発生した場合に、係止手段５３による係止を解除する手段として鍵リンク機構１６０が設けられている。この鍵リンク機構１６０は、図２から４に示すように、遊技盤１に配される遊技盤配設部１６１と、前面枠本体１３０に配設される前面枠本体配設部１６２とから構成されている。
【００６３】
遊技盤配設部１６１は特別変動入賞装置５０の側部から遊技盤１の側端にかけて、遊技盤本体の裏面に配される部分であって、第一カバー部材１６３と、該第一カバー部材１６３の内側に配される第一リンク棒１６４とを備える。第一カバー部材１６３は、延在方向に垂直な断面形状がコ字状とされた部材で、開口する面が前側となるように遊技盤本体１ｂの裏面に取り付けられるようになっている。これにより、前側の開口する面が遊技盤本体１ｂの裏面で閉鎖されて矩形筒状の空間が形成され、この空間内に第一リンク棒１６４が配されるようになっている。また、第一カバー部材１６３における矩形筒状の空間の内側の面であって、遊技盤本体１ｂの裏面と対向して配される面には、前後方向に沿って前方へ延出する回動軸１６３ａが形成されている。そして、この回動軸１６３ａにより第一リンク棒１６４が回動可能に軸支される。
【００６４】
第一リンク棒１６４は棒状の部材で、第一カバー部材１６３の回動軸１６３ａにより軸支される軸受部１６４ａが略中央に形成されている。また、特別変動入賞装置５０側に配される端部には、第二リンク部材９２に当接する当接部１６４ｂが形成され、遊技盤１の側端側に配される端部には、第二リンク棒１６６と接続するための接続部１６４ｃが形成されている。
【００６５】
当接部１６４ｂは、本体部６０に形成された貫通孔６３を介して、第二リンク部材９２の下側に位置するように配され、第一リンク棒１６４が回動軸１６３ａを中心に、前面側から見て時計回り方向へ回動することで、第二リンク部材９２の下部に当接するとともに、上方へ押し上げることができるようになっている。また、図１２に示すように、当接部１６４ｂが当接する位置は第二回動軸９３よりも前側となる位置であり、第一リンク棒１６４は、第二リンク部材９２を、第二回動軸９３を中心として上方へ回動させるように押圧する。第一リンク棒１６４により押し上げられることによる第二リンク部材９２の動作方向は、特別変動入賞装置５０を開状態へ変換する際の動作方向である。このように、第一リンク棒１６４が第二リンク部材９２を特別変動入賞装置５０が開状態へ変換する方向へ押圧するようにしたことで、部品のガタを受けにくく確実に動作させることが可能となる。
【００６６】
図２から４に示すように、接続部１６４ｃは、軸受部１６４ａの延在方向と平行な接続孔１６４ｄを有しており、この接続孔１６４ｄが形成された接続部１６４ｃの後方は、第一カバー部材１６３で覆われずに後方に露出した状態となっている。遊技盤１は前面枠本体１３０の前面側から取り付けるようにされており、接続孔１６４ｄが後方に露出した状態とされていることで、遊技盤１を前面枠本体１３０に取り付けることに伴い、接続孔１６４ｄに第二リンク棒１６６の接続軸１６６ａが後方から挿入されるようになっている。また、第二リンク棒１６６の接続軸１６６ａが挿入される側である接続孔１６４ｄの後端は、テーパ状に拡径するように形成され、接続軸１６６ａと容易に接続できるようにされている。
【００６７】
前面枠本体配設部１６２は、前面枠本体１３０に設けられた枠施錠装置１３１に隣接して、遊技盤１を取り付ける開口部内に突出するように配されるようになっており、錠１３２から遊技盤１に設けられる上述の遊技盤配設部１６１にかけて配される。この前面枠本体配設部１６２は、第二カバー部材１６５と、該第二カバー部材１６５の内側に配される第二リンク棒１６６とを備える。
【００６８】
第二カバー部材１６５は、延在方向に垂直な断面形状がコ字状とされた部材で、開口する面が前側となるように、遊技盤１を取り付ける開口部の側壁に沿って取り付けられるようになっている。これにより、前側の開口する面が、開口部に取り付けられる遊技盤１を構成する遊技盤本体１ｂの裏面で閉鎖されて矩形筒状の空間が形成され、この空間内に第二リンク棒１６６が配されるようになっている。また、第二カバー部材１６５は、枠施錠装置１３１の錠１３２に隣接する前面側から見て右側の側面の上端部に、切欠状の開口１６５ａが形成されている。また、遊技盤配設部１６１に隣接する前面側から見て左側の側面の下端部にも切欠状の開口１６５ｂが形成されている。この切欠状の開口１６５ａ，１６５ｂを介して、第二カバー部材１６５の内部に配される第二リンク棒１６６と、錠１３２の可動片１３４および第一リンク棒１６４とが接続されるようになっている。
【００６９】
第二リンク棒１６６は棒状の部材で、遊技盤配設部１６１側に配される端部には、第一リンク棒１６４と接続するための接続軸１６６ａが形成され、枠施錠装置１３１側に配される端部には、錠１３２の可動片１３４に押圧される被押圧部１６６ｂが形成されている。この第二リンク棒１６６は、延在方向が上下方向に沿うように配されるとともに、第二カバー部材１６５に設けられる図示しない案内部材により案内されて、上下方向に沿って移動するようになっている。また、第二リンク棒１６６は、接続軸１６６ａが前後方向に沿って延在するように配されるようになっており、遊技盤１を前面枠本体１３０の開口に取り付けることにより、遊技盤１の裏面に配された上述の第一リンク棒１６４の接続孔１６４ｄに対して、接続軸１６６ａが後方から挿入されるようになっている。
【００７０】
被押圧部１６６ｂは、錠１３２と隣接する位置に設けられ、機枠１１０と前面枠本体１３０との施錠の解除および前面枠本体１３０とクリア部材保持枠１４０との施錠を解除するため可動片１３４により押圧される部分である。錠１３２の可動片１３４は、鍵穴１３３に鍵１３５を挿入して回動することで動作するようになっており、前面枠本体１３０とクリア部材保持枠１４０との施錠を開錠する方向である、鍵１３５を前面側から見て反時計回り方向へ回すことで、被押圧部１６６ｂを下方に押し下げるようになっている。
【００７１】
このように、鍵リンク機構１６０が遊技盤配設部１６１と前面枠本体配設部１６２とに分離可能であることで、遊技盤１を交換する場合に、鍵リンク機構１６０の一部を前面枠本体１３０に残すことが可能となり、鍵リンク機構１６０の一部を再利用可能となる。
【００７２】
以上のことから、鍵リンク機構１６０は、前面枠本体１３０に配される前面枠本体配設部１６２と、遊技盤１に配される遊技盤配設部１６１と、に分離可能であることとなる。
【００７３】
このように構成される鍵リンク機構１６０は、鍵１３５により錠１３２を操作していない状態では、図１０，１１に示すように、第一リンク棒１６４の当接部１６４ｂが、第二リンク部材９２の下側に位置するようになっている。なお、特別変動入賞装置５０が閉状態となっている状態では、第二リンク部材９２は、右側の側面から見て、所定の回動範囲において最も反時計回り方向に回動した状態となる。よって、第二リンク部材９２における第二回動軸９３よりも前側の部分は、移動範囲における最も下側の位置にある状態となるが、このときでも当接部１６４ｂは第二リンク部材９２の下側には当接しない状態となっている。
【００７４】
この状態から、クリア部材保持枠１４０を前面枠本体１３０に対して開放するために、図１２，１３に示すように、錠１３２の鍵穴１３３に鍵１３５を挿入して反時計回り方向に回動すると、錠１３２の可動片１３４により第二リンク棒１６６が下方に押し下げられる。これに伴い第一リンク棒１６４は、第二リンク棒１６６と接続する接続部１６４ｃが押し下げられ、回動軸１６３ａを中心として前面側から見て時計回り方向に回動して、当接部１６４ｂが上方へ移動し、第二リンク部材９２を上方へ押し上げる。これにより第二リンク部材９２は、図６に示すように、右側の側面から見て時計回り方向に回動して扉動作部９５が上方へ回動することとなる。そして、扉動作部９５の第二延出部９７に形成された係止部９９が、扉部材８０のリンク部８３をなす側方突出部８６に形成された被係止部８７と前後に重ならない位置に移動し、被係止部８７の後方への移動の規制が解除される。
【００７５】
このように係止を解除した状態では、扉部材８０を手で開くことが可能となり、特別変動入賞装置５０内で発生した不具合等を解消することができる。よって、不正に扉部材８０を開放する行為を防止した上でメンテナンスを容易にすることができる。すなわち、遊技領域１ａの前面を覆うクリア部材保持枠１４０を正当な手段で開けたときに係止が解除されるので、クリア部材保持枠１４０を開放できる鍵１３５を持つ者（店員）のみが扉部材８０を開放できることとなり、確実に扉部材８０を不正に開放する行為を防止した上でメンテナンスを容易にすることができる。
【００７６】
なお、鍵リンク機構１６０や特別変動入賞装置５０の構成は上述の構成に限られるものではない。また、入賞装置として特別変動入賞装置５０を示したが、他の変動入賞装置（普通変動入賞装置７など）に本発明を適用しても良い。
【００７７】
以上のことから、前面に遊技領域１ａが形成された遊技盤１と、遊技盤１を保持する前面枠本体１３０と、該前面枠本体１３０の前面に回動可能に取り付けられ、遊技領域１ａを前方から視認可能な状態で覆うクリア部材を備えるクリア部材保持枠１４０と、前面枠本体１３０に対して、クリア部材保持枠１４０が遊技領域１ａを覆った状態で回動不能となるように施錠する枠施錠装置１３１と、を備え、遊技領域１ａに遊技球を発射して遊技を行う遊技機１００において、遊技領域１ａに、遊技球が入賞する入賞装置（特別変動入賞装置５０）を備え、入賞装置は、遊技球が流入可能な入賞口（大入賞口６１）と、入賞口を開閉する扉部材８０と、扉部材８０を駆動するための駆動源（大入賞口開閉ＳＯＬ５１）と、を備え、駆動源が扉部材８０を駆動することにより、扉部材８０が入賞口を閉鎖して遊技球の流入を不能とする閉状態と、扉部材８０が入賞口を開放して遊技球の流入を可能とする開状態と、に変換されるようにし、閉状態で扉部材８０を係止して開状態への変換を不能とするとともに、閉状態から駆動源を動作することにより扉部材８０の係止を解除して開状態への変換を可能とする係止手段５３を備え、枠施錠装置１３１における前面枠本体１３０に対するクリア部材保持枠１４０の施錠の解除動作に連動して、係止手段５３による係止を解除する鍵リンク機構１６０を備えたこととなる。
【００７８】
また、扉部材８０を遊技盤１と平行かつ水平な第一回動軸８２を中心として回動するようにし、入賞装置（特別変動入賞装置５０）に、第一回動軸８２と平行な第二回動軸９３を中心として回動し、駆動源（大入賞口開閉ＳＯＬ５１）の駆動力を扉部材８０に伝達するリンク部材（第二リンク部材９２）を備えるリンク機構９０を備え、駆動源がリンク機構９０を介して扉部材８０を駆動することにより、扉部材８０が入賞口（大入賞口６１）を閉鎖して遊技球の流入を不能とする閉状態と、扉部材８０が入賞口を開放して遊技球の流入を可能とする開状態と、に変換されるようにし、係止手段５３を、リンク部材に形成した係止部９９と扉部材８０に形成した被係止部８７とから構成し、該係止手段５３は、閉状態では係止部９９が被係止部８７を係止して開状態への変換を不能とし、閉状態から駆動源によりリンク部材を動作することにより被係止部８７の係止を解除して開状態への変換を可能とするようにしたこととなる。
【００７９】
また、鍵リンク機構１６０は、リンク部材（第二リンク部材９２）を開状態への変換方向へ押圧することで係止手段５３による係止を解除するようにしたこととなる。
【００８０】
なお、上述した実施形態の遊技機の変形例として、鍵１３５の操作のみで特別変動入賞装置５０を開状態に変換できるようにしても良い。このような構成とする場合は、錠１３２における鍵１３５（可動片１３４）の回動範囲を大きくするとともに、鍵リンク機構１６０の動作範囲を大きくする。そして、枠施錠装置１３１の錠１３２において、鍵１３５を初期位置から所定の第一回動角度だけ回動させると、前面枠本体１３０に対するクリア部材保持枠１４０の施錠を解除するようにし、さらに所定の第一回動角度よりも大きい所定の第二回動角度まで回動できるようにする。
【００８１】
また、鍵リンク機構１６０においては、鍵１３５を第一回動角度だけ回動させ場合に、第二リンク部材９２を図６に示すような係止手段５３による係止が解除される第一位置に移動させるように構成する。さらに、鍵リンク機構１６０においては、鍵１３５を第二回動角度まで回動させた場合に、第二リンク部材９２を図９に示すように、特別変動入賞装置５０が開状態となった状態における第二位置へ移動させて扉部材８０を開放させるように構成する。このようにすることで、鍵１３５の操作だけで扉部材８０を開くことが可能となり、利便性が向上する。
【００８２】
以上のことから、鍵リンク機構１６０は、枠施錠装置１３１における前面枠本体１３０に対するクリア部材保持枠１４０の施錠の解除動作の進行に連動して、リンク部材（第二リンク部材９２）を係止手段５３による係止が解除される第一位置に移動させるとともに、第一位置からリンク部材を開状態における第二位置へ移動させて扉部材８０を開放させるようにしたこととなる。
【００８３】
以上のような遊技機１００は、前面に遊技領域１ａが形成された遊技盤１と、遊技盤１を保持する前面枠本体１３０と、該前面枠本体１３０の前面に回動可能に取り付けられ、遊技領域１ａを前方から視認可能な状態で覆うクリア部材を備えるクリア部材保持枠１４０と、前面枠本体１３０に対して、クリア部材保持枠１４０が遊技領域１ａを覆った状態で回動不能となるように施錠する枠施錠装置１３１と、を備え、遊技領域１ａに遊技球を発射して遊技を行う遊技機であって、遊技領域１ａに、遊技球が入賞する入賞装置（特別変動入賞装置５０）を備え、入賞装置は、遊技球が流入可能な入賞口（大入賞口６１）と、入賞口を開閉する扉部材８０と、扉部材８０を駆動するための駆動源（大入賞口開閉ＳＯＬ５１）と、を備え、駆動源が扉部材８０を駆動することにより、扉部材８０が入賞口を閉鎖して遊技球の流入を不能とする閉状態と、扉部材８０が入賞口を開放して遊技球の流入を可能とする開状態と、に変換されるようにし、閉状態で扉部材８０を係止して開状態への変換を不能とするとともに、閉状態から駆動源を動作することにより扉部材８０の係止を解除して開状態への変換を可能とする係止手段５３を備え、枠施錠装置１３１における前面枠本体１３０に対するクリア部材保持枠１４０の施錠の解除動作に連動して、係止手段５３による係止を解除する鍵リンク機構１６０を備えている。
【００８４】
したがって、係止手段５３は閉状態では扉部材８０を係止して開状態への変換を不能とするので、扉部材８０に対して、外部から扉部材８０を不正に開く方向へ力が加えられても扉部材８０が開くことがなく、不正行為を防止できる。また、枠施錠装置１３１における前面枠本体１３０に対するクリア部材保持枠１４０の施錠の解除動作に連動して、係止手段５３による係止を解除する鍵リンク機構１６０を備えるので、不正に扉部材８０を開放する行為を防止した上でメンテナンスを容易にすることができる。例えば、入賞装置内で球詰まり等が発生し、扉部材８０を開かなければいけない事態が発生した場合に、遊技領域１ａの前面を覆うクリア部材保持枠１４０を正当な手段で開けたときに係止が解除されるので、クリア部材保持枠１４０を開放できる鍵１３５を持つ者（店員）のみが扉部材８０を開放できることとなり、確実に扉部材８０を不正に開放する行為を防止した上でメンテナンスを容易にすることができる。
【００８５】
また、扉部材８０を遊技盤１と平行かつ水平な第一回動軸８２を中心として回動するようにし、入賞装置（特別変動入賞装置５０）に、第一回動軸８２と平行な第二回動軸９３を中心として回動し、駆動源（大入賞口開閉ＳＯＬ５１）の駆動力を扉部材８０に伝達するリンク部材（第二リンク部材９２）を備えるリンク機構９０を備え、駆動源がリンク機構９０を介して扉部材８０を駆動することにより、扉部材８０が入賞口（大入賞口６１）を閉鎖して遊技球の流入を不能とする閉状態と、扉部材８０が入賞口を開放して遊技球の流入を可能とする開状態と、に変換されるようにし、係止手段５３を、リンク部材に形成した係止部９９と扉部材８０に形成した被係止部８７とから構成し、該係止手段５３は、閉状態では係止部９９が被係止部８７を係止して開状態への変換を不能とし、閉状態から駆動源によりリンク部材を動作することにより被係止部８７の係止を解除して開状態への変換を可能とするようにしている。
【００８６】
したがって、係止手段５３をリンク部材に形成した係止部９９と扉部材８０に形成した被係止部８７とからなる係止手段５３を備えるので、扉部材８０に対して、外部から扉部材８０を不正に開く方向へ力が加えられても扉部材８０が開くことがなく、不正行為を防止できる。また、係止手段５３をリンク部材に形成した係止部９９と扉部材８０に形成した被係止部８７とから構成したので、係止手段５３を構成するために従来の機構から部品点数を増加させる必要がないので、安価に実現可能である。
【００８７】
また、鍵リンク機構１６０は、前面枠本体１３０に配される前面枠本体配設部１６２と、遊技盤１に配される遊技盤配設部１６１と、に分離可能である。
【００８８】
したがって、鍵リンク機構１６０は、前面枠本体１３０に配される前面枠本体配設部１６２と、遊技盤１に配される遊技盤配設部１６１と、に分離可能であるので、遊技盤１を交換する場合に、鍵リンク機構１６０の一部を枠側に残すことが可能となり、鍵リンク機構１６０の一部を再利用可能となる。
【００８９】
また、鍵リンク機構１６０は、リンク部材（第二リンク部材９２）を開状態への変換方向へ押圧することで係止手段５３による係止を解除するようにしている。
【００９０】
したがって、鍵リンク機構１６０は、リンク部材を開状態への変換方向へ押圧することで係止手段による係止を解除するので、部品のガタを受けにくく確実に動作させることが可能である。
【００９１】
また、鍵リンク機構１６０は、枠施錠装置１３１における前面枠本体１３０に対するクリア部材保持枠１４０の施錠の解除動作の進行に連動して、リンク部材（第二リンク部材９２）を係止手段５３による係止が解除される第一位置に移動させるとともに、第一位置からリンク部材を開状態における第二位置へ移動させて扉部材８０を開放させるようにしている。
【００９２】
したがって、鍵リンク機構１６０は、枠施錠装置１３１における前面枠本体１３０に対するクリア部材保持枠１４０の施錠の解除動作の進行に連動して、リンク部材を係止手段５３による係止が解除される第一位置に移動させるとともに、第一位置からリンク部材を開状態における第二位置へ移動させて扉部材８０を開放させるので、鍵１３５の操作だけで入賞装置を開くことが可能となり、利便性が向上する。
【００９３】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００９４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】本発明を適用した一実施の形態の構成を示す遊技機の正面図である。
【図２】特別変動入賞装置、鍵リンク機構の前面側から見た斜視図である。
【図３】特別変動入賞装置、鍵リンク機構の前面側から見た分解斜視図である。
【図４】鍵リンク機構の前面側から見た分解斜視図である。
【図５】扉部材、リンク機構、大入賞口開閉ＳＯＬの動作を説明するための側面図であって、閉状態を示す図である。
【図６】扉部材、リンク機構、大入賞口開閉ＳＯＬの動作を説明するための側面図である。
【図７】扉部材、リンク機構、大入賞口開閉ＳＯＬの動作を説明するための側面図である。
【図８】扉部材、リンク機構、大入賞口開閉ＳＯＬの動作を説明するための側面図である。
【図９】扉部材、リンク機構、大入賞口開閉ＳＯＬの動作を説明するための側面図であって、開状態を示す図である。
【図１０】扉部材、リンク機構、大入賞口開閉ＳＯＬ、鍵リンク機構の動作を説明するための側面図であって、鍵リンク機構を操作していない状態を示す図である。
【図１１】扉部材、リンク機構、大入賞口開閉ＳＯＬ、鍵リンク機構の動作を説明するための後方から見た斜視図であって、鍵リンク機構を操作していない状態を示す図である。
【図１２】扉部材、リンク機構、大入賞口開閉ＳＯＬ、鍵リンク機構の動作を説明するための側面図であって、鍵リンク機構を操作した状態を示す図である。
【図１３】扉部材、リンク機構、大入賞口開閉ＳＯＬ、鍵リンク機構の動作を説明するための後方から見た斜視図であって、鍵リンク機構を操作した状態を示す図である。
【符号の説明】
【００９６】
１      遊技盤
１ａ    遊技領域
５０    特別変動入賞装置（入賞装置）
５１    大入賞口開閉ＳＯＬ（駆動源）
５３    係止手段
６１    大入賞口（入賞口）
８０    扉部材
８２    第一回動軸
８７    被係止部
９０    リンク機構
９２    第二リンク部材（リンク部材）
９３    第二回動軸
９９    係止部
１００  遊技機
１３０  前面枠本体
１３１  枠施錠装置
１３５  鍵
１４０  クリア部材保持枠
１６０  鍵リンク機構
１６１  遊技盤配設部
１６２  前面枠本体配設部
【図１】
0004832453.tif 000002
【図２】
0004832453.tif 000003
【図３】
0004832453.tif 000004
【図４】
0004832453.tif 000005
【図５】
0004832453.tif 000006
【図６】
0004832453.tif 000007
【図７】
0004832453.tif 000008
【図８】
0004832453.tif 000009
【図９】
0004832453.tif 000010
【図１０】
0004832453.tif 000011
【図１１】
0004832453.tif 000012
【図１２】
0004832453.tif 000013
【図１３】
0004832453.tif 000014